(57)【要約】      （修正有）【課題】安定して自立可能な利便性を向上できる包装材を提供する。【解決手段】上部を互いに接合状態として対向する前面板１３及び背面板１４の下端を二つ折りされた状態の底面板１５を介して連結状態とされた台材１１と、前面板１３上に接合された状態で上下方向に延びる筒状の熱収縮フィルム１２とを備えた包装材であって、前面板１３が上方を開放した半環状の切込み１８により外縁が形成される支持片１７と、支持片１７の両側端から外側に水平に延びる第１折り線１３ａとを有するとともに、背面板１４の下端が前面板１３の下端よりも上方に配され、熱収縮フィルム１２が支持片１７上に配される。【選択図】図１
2018158739.tif 000002
【特許請求の範囲】
【請求項１】
上部を互いに接合状態として対向する前面板及び背面板の下端を二つ折りされた状態の底面板を介して連結状態とされた台材と、前記前面板上に接合された状態で上下方向に延びる筒状の熱収縮フィルムとを備えた包装材であって、前記前面板が上方を開放した半環状の切込みにより外縁が形成される支持片と、前記支持片の両側端から外側に水平に延びる第１折り線とを有するとともに、前記背面板の下端が前記前面板の下端よりも上方に配され、前記熱収縮フィルムが前記支持片上に配されることを特徴とする包装材。
【請求項２】
前記熱収縮フィルムの下端が前記支持片の下端よりも下方に配置された状態となることを特徴とする請求項１に記載の包装材。
【請求項３】
前記熱収縮フィルムの下端が前記背面板の下端よりも下方に配置された状態となることを特徴とする請求項１または請求項２に記載の包装材。
【請求項４】
前記熱収縮フィルムの下端が前記背面板の下端と同じ高さに配置された状態となることを特徴とする請求項１または請求項２に記載の包装材。
【請求項５】
前記支持片が前記背面板に接合状態とされることを特徴とする請求項１〜請求項４のいずれかに記載の包装材。
【請求項６】
前記熱収縮フィルムが前記支持片上に接合状態とされることを特徴とする請求項１〜請求項５のいずれかに記載の包装材。
【請求項７】
前記切込みが切れ目部とつなぎ部とを備えたミシン目状であることを特徴とする請求項６に記載の包装材。
【請求項８】
前記背面板の下辺に直交する第２折り線を前記底面板の両側端部に備えることを特徴とする請求項１〜請求項７のいずれかに記載の包装材。
【請求項９】
前記切込みの上端が前記第１折り線よりも上方に配置された状態となることを特徴とする請求項１〜請求項８のいずれかに記載の包装材。
【請求項１０】
上部を互いに接合状態として対向する前面板及び背面板の下端を底面板を介して連結状態とされた台材と、前記前面板上に接合された状態で上下方向に延びる筒状の熱収縮フィルムと、前記熱収縮フィルムにより被覆された状態の被包装材とを備えた包装体であって、前記前面板が前記底面板の前端から後方に傾斜する傾斜部と、上方を開放した半環状の切込みにより前記傾斜部上から切り離された状態で前記背面板上に配置された状態となる支持片とを有し、前記被包装材の下部が前記傾斜部と前記支持片との間に配置された状態となることを特徴とする包装体。
【請求項１１】
前記支持片が前記背面板に接合状態とされることを特徴とする請求項１０に記載の包装体。
【請求項１２】
前記熱収縮フィルムが前記支持片上に接合状態とされることを特徴とする請求項１０または請求項１１に記載の包装体。
【請求項１３】
前記被包装材の底面が前記底面板に当接された状態であることを特徴とする請求項１０〜請求項１２のいずれかに記載の包装体。
【請求項１４】
前記底面板の両側端部に上方に折曲可能な折曲片を備えることを特徴とする請求項１０〜請求項１３のいずれかに記載の包装体。
【請求項１５】
前記切込みの上端が前記傾斜部の上端よりも上方に配置された状態となることを特徴とする請求項１０〜請求項１４のいずれかに記載の包装体。
【発明の詳細な説明】
【技術分野】
【０００１】
本発明は、包装材及び包装体に関する。
【背景技術】
【０００２】
従来の包装材は特許文献１に開示されている。この包装材は台材と熱収縮フィルムを備える。台材は下端を開放して上下方向に延びる開口部を設けた前面板と、前面板に重ねられる背面板とを有し、板状に形成されている。台材の上部には陳列棒の挿通孔が設けられている。熱収縮フィルムは筒状に形成され、開口部に面して背面板上に設けた接着材を介して背面板に接着される。
【０００３】
商品である被包装材を熱収縮フィルムの内部に挿入して包装材を加熱すると、熱収縮フィルムが熱収縮して被包装材が熱収縮フィルムにより密着状態で被覆される。これにより、被包装材を包装材により包装した包装体が形成される。包装体は店舗等で陳列棒を挿通孔に挿通して吊り下げて陳列される。
【先行技術文献】
【特許文献】
【０００４】
【特許文献１】特開２０１５−２１７９４７号公報（第７頁、第８頁、第７図、第８図）
【発明の概要】
【発明が解決しようとする課題】
【０００５】
しかしながら、上記従来の包装材によると、台材が板状であるため、包装体を自立して陳列または保管をした際に安定性が低く包装体の利便性が悪い問題があった。
【０００６】
本発明は上記問題点に鑑み、利便性を向上できる包装体及びそれに用いる包装材を提供することを目的とする。
【課題を解決するための手段】
【０００７】
上記目的を達成するために本発明の包装材は、上部を互いに接合状態として対向する前面板及び背面板の下端を二つ折りされた状態の底面板を介して連結状態とされた台材と、前記前面板上に接合された状態で上下方向に延びる筒状の熱収縮フィルムとを備えた包装材であって、前記前面板が上方を開放した半環状の切込みにより外縁が形成される支持片と、前記支持片の両側端から外側に水平に延びる第１折り線とを有するとともに、前記背面板の下端が前記前面板の下端よりも上方に配され、前記熱収縮フィルムが前記支持片上に配されることを特徴としている。
【０００８】
また本発明は、上記構成の包装材において、前記熱収縮フィルムの下端が前記支持片の下端よりも下方に配置された状態となると好ましい。
【０００９】
また本発明は、上記構成の包装材において、前記熱収縮フィルムの下端が前記背面板の下端よりも下方に配置された状態となると好ましい。
【００１０】
また本発明は、上記構成の包装材において、前記熱収縮フィルムの下端が前記背面板の下端と同じ高さに配置された状態となると好ましい。
【００１１】
また本発明は、上記構成の包装材において、前記支持片が前記背面板に接合状態とされると好ましい。
【００１２】
また本発明は、上記構成の包装材において、前記熱収縮フィルムが前記支持片上に接合状態とされると好ましい。
【００１３】
また本発明は、上記構成の包装材において、前記切込みが切れ目部とつなぎ部とを備えたミシン目状であると好ましい。
【００１４】
また本発明は、上記構成の包装材において、前記背面板の下辺に直交する第２折り線を前記底面板の両側端部に備えると好ましい。
【００１５】
また本発明は、上記構成の包装材において、前記切込みの上端が前記第１折り線よりも上方に配置された状態となると好ましい。
【００１６】
また本発明の包装体は、上部を互いに接合状態として対向する前面板及び背面板の下端を底面板を介して連結状態とされた台材と、前記前面板上に接合された状態で上下方向に延びる筒状の熱収縮フィルムと、前記熱収縮フィルムにより被覆された状態の被包装材とを備えた包装体であって、前記前面板が前記底面板の前端から後方に傾斜する傾斜部と、上方を開放した半環状の切込みにより前記傾斜部上から切り離された状態で前記背面板上に配置された状態となる支持片とを有し、前記被包装材の下部が前記傾斜部と前記支持片との間に配置された状態となることを特徴としている。
【００１７】
また本発明は、上記構成の包装体において、前記支持片が前記背面板に接合状態とされると好ましい。
【００１８】
また本発明は、上記構成の包装体において、前記熱収縮フィルムが前記支持片上に接合状態とされると好ましい。
【００１９】
また本発明は、上記構成の包装体において、前記被包装材の底面が前記底面板に当接された状態であると好ましい。
【００２０】
また本発明は、上記構成の包装体において、前記底面板の両側端部に上方に折曲可能な折曲片を備えると好ましい。
【００２１】
また本発明は、上記構成の包装体において、前記切込みの上端が前記傾斜部の上端よりも上方に配置された状態となると好ましい。
【発明の効果】
【００２２】
本発明の包装材によると、底面板を接地面に当接させて包装体を安定して自立させることができ、包装体の利便性を向上することができる。
【００２３】
また本発明の包装体によると、底面板を接地面に当接させて包装体を安定して自立させることができ、包装体の利便性を向上できる。
【図面の簡単な説明】
【００２４】
【図１】本発明の第１実施形態に係る包装体の斜視図。
【図２】本発明の第１実施形態に係る包装体の側面断面図。
【図３】本発明の第１実施形態に係る包装材の斜視図。
【図４】本発明の第１実施形態に係る包装材の側面図。
【図５】本発明の第１実施形態に係る包装材の斜視図。
【図６】本発明の第１実施形態に係る包装材の展開図。
【図７】本発明の第２実施形態に係る包装材の側面図。
【図８】本発明の第３実施形態に係る包装材の側面図。
【発明を実施するための形態】
【００２５】
＜第１実施形態＞
以下に図面を参照して本発明の第１実施形態を説明する。図１、図２は第１実施形態に係る包装体１の斜視図、側面断面図を示している。
【００２６】
包装体１は台材１１と熱収縮フィルム１２と被包装材２０とを備える。台材１１は前面板１３と背面板１４と底面板１５とを有し、底面板１５は前面板１３及び背面板１４の下端を連結している。底面板１５は水平に配され、背面板１４は底面板１５の後端から直立している。
【００２７】
前面板１３の上端部には挿通孔１３ｃが設けられ、包装体１は店舗等で陳列棒を挿通孔１３ｃに挿通して吊り下げて陳列することができる。
【００２８】
前面板１３は背面板１４に対向して上部を接着材３１で背面板１４に接着される。このとき、背面板１４の上端は挿通孔１３ｃよりも下方に配される。これにより、背面板１４上に挿通孔を設ける必要が無く、前面板１３上の挿通孔１３ｃと背面板１４上の挿通孔との位置合わせが不要になるため包装体１の組立作業性が向上する。
【００２９】
なお、背面板１４の上端を挿通孔１３ｃよりも上方に配してもよく、更には、背面板１４の上端を前面板１３の上端と一致させてもよい。これにより、背面板１４に表示する広告面積を大きくすることができる。また、背面板１４に設けた挿通孔と前面板１３の挿通孔１３ｃと一致させることにより、挿通孔１３ｃが前面板１３及び背面板１４の２枚分の厚みを有して強度が向上する。これにより、陳列棒を挿通孔１３ｃに挿通して吊り下げたときに、挿通孔１３ｃを起点にして前面板１３が破損するのを防ぐことができる。
【００３０】
また、背面板１４の上端を挿通孔１３ｃよりも上方に配する場合、背面板１４の上端から対向する挿通孔１３ｃの下端に延びるＵ字型の切欠きを形成することが好ましい。これにより、前面板１３の挿通孔１３ｃと背面板１４の切欠きとを容易に位置合わせすることができる。
【００３１】
前面板１３には支持片１７及び傾斜部１６が設けられる。支持片１７は前面板１３上に設けた上方を開放した半環状の切込み１８により外縁を形成され、背面板１４に沿って下方に延びる。
【００３２】
傾斜部１６は切込み１８の両側端から水平に延びる折り線１３ａの谷折りにより切起こされた状態に形成され、底面板１５の前端から後方に傾斜している。傾斜部１６の切起しによって支持片１７は傾斜部１６から切り離され、傾斜部１６上には切込み１８を外縁とする開口部１３ｂが形成される。このとき、開口部１３ｂの上端は折り線１３ａ上に配される。
【００３３】
底面板１５の両側端部には一対の折曲片２５が連設されている。折曲片２５を上方に折曲することにより、底面板１５を略平面に保持することができる。これにより、底面板１５を接地面に当接させて包装体１を安定して自立させることができる。
【００３４】
熱収縮フィルム１２は透明な樹脂により筒状に形成され、接着材３０を介して支持片１７上に接着される。また、熱収縮フィルム１２は加熱により収縮して被包装材２０を被覆する。
【００３５】
熱収縮フィルム１２には上下方向に延びるミシン線１２ａが包装体１の正面から見て左端近傍に２本平行に形成され、ミシン線１２ａの上端は被包装材２０の天面上に配されている（図１参照）。これにより、ミシン線１２ａの上端を起点にして熱収縮フィルム１２を破断して被包装材２０を容易に取り出すことができる。
【００３６】
なお、ミシン線１２ａは熱収縮フィルム１２を破り易くする手段であるから、１本でも、３本以上設けてもよい。ミシン線１２ａを複数設ける場合、隣接するミシン線１２ａの間隔は適宜に設定可能である。また、ミシン線１２ａの位置は開口部１３ｂより上方であれば適宜に設定可能である。
【００３７】
例えば、図１に示すような左端近傍以外にも、右端近傍、中央手間側など、ミシン目線１２ａの位置は、商品の外形、ミシン目１２ａの見易さ等を考慮して適宜の位置に設定することが可能である。なお、図３においては、ミシン目１２ａが熱収縮フィルム１２の左端より所定距離だけ右側に寄せた位置に１本しか図示されていないが、これは、偏平筒状の熱収縮フィルム１２において、１本のミシン目１２ａの下側に残りの１本のミシン目１２ａが重なっているだけである。
【００３８】
熱収縮フィルム１２に被覆された被包装材２０は開口部１３ｂに挿入され、支持片１７と傾斜部１６との間に配される。熱収縮フィルム１２の下端は支持片１７の下端よりも下方に配され、被包装材２０の底面は底面板１５に当接している。
【００３９】
被包装材２０の上部は開口部１３ｂから上方に突出しており、包装体１の陳列時に被包装材２０の視認性がよい。また、接着材３０は支持片１７よりも上方に延設され、被包装材２０の上部を安定して固定することができる。
【００４０】
包装体１の台材１１は台材１１と熱収縮フィルム１２とを一体化した平板状の包装材１０（図３参照）を組み立てて形成される。図３、図４は包装材１０の斜視図及び側面図を示している。
【００４１】
包装材１０は前面板１３、底面板１５、背面板１４が連設された台材１１を底面板１５上で二つ折りして平板状に形成され、前面板１３上に熱収縮フィルム１２が接着材３０により接着される。前面板１３と底面板１５との境界には折り線１５ａが設けられ、底面板１５と背面板１４との境界には折り線１５ｂ（図６参照）が設けられる。底面板１５は水平な折り線１５ｃ上で二つ折りされる。
【００４２】
背面板１４の上部は接着材３１により前面板１３の上部に接着される。前面板１３の中央部には上方を開放した略Ｕ字状の半環状の切込み１８が設けられ、支持片１７は切込み１８により外縁が形成されている。切込み１８は切れ目部１８ａとつなぎ部１８ｂを備えるミシン目状に形成されており、支持片１７は切込み１８の外側と同一平面上で一体化されている。このため、接着材３０により熱収縮フィルム１２を支持片１７上に接着する際に熱収縮フィルム１２の位置ずれを防止することができる。
【００４３】
なお、支持片１７は前面板１３の中央部に配されているが、デザイン等を勘案して適宜に設定可能である。このため、必ずしも中央部に限定されるものではない。
【００４４】
また、前面板１３上には切込み１８の上部の両側端から折り線（第１折り線）１３ａが水平に延びている。切込み１８を破断して折り線１３ａ上で傾斜部１６が切り起こされる。切込み１８は折り線１３ａよりも上方に延びるため、切込み１８上で切り離される支持片１７を背面板１４上に沿って配置することができる。なお、切込み１８の上端は折り線１３ａよりも上方で内側に向けて屈曲する。
【００４５】
背面板１４の下端の折り線１５ｂは前面板１３の下端の折り線１５ａよりも上方に配されている。これにより、二つ折りの底面板１５を広げて前面板１３を折り線１３ａで谷折りすることにより、前面板１３の下部に傾斜部１６を形成して背面板１４を底面板１５に対して直立させることができる。
【００４６】
底面板１５の両側端部には背面板１４の下辺の折り線１５ｂに直交する折り線１５ｄ（第２折り線）を介して折曲片２５（図１参照）が連設される。
【００４７】
熱収縮フィルム１２は筒状の透明な樹脂フィルムから成り、上下方向に延びるミシン線１２ａが２本平行に設けられている。熱収縮フィルム１２として、ポリオレフィン系（ポリエチレン、ポリプロピレン等）、ポリエステル系（ポリエチレンテレフタレート、ポリブチレンテレフタレート等）、ポリスチレン系、ビニル系の樹脂フィルムを用いることができる。
【００４８】
熱収縮フィルム１２の上端は支持片１７よりも上方に配される。熱収縮フィルム１２の下端は支持片１７の下端よりも下方に配され、背面板１４の下端の折り線１５ｂと同じ高さに配されている。
【００４９】
なお、包装材１０に接着される熱収縮フィルム１２は筒状且つ偏平である。しかし、熱収縮フィルム１２の形状は被包装材２０の形状に合わせて適宜に設定可能であり、必ずしも、筒状且つ偏平に限定されるものではない。
【００５０】
また、熱収縮フィルム１２を支持片１７に接着する接着材３０は支持片１７上に配される。このため、開口部１３ｂ（図１参照）に挿入される被包装材２０（図１参照）の下部が固定され、被包装材２０を安定して保持することができる。また、接着材３０は支持片１７よりも上方に延設される。これにより、被包装材２０（図１参照）の上部を安定して保持することができる。
【００５１】
接着材３０及び接着材３１は、紙と紙のような同じ基材、あるいは紙とフィルムのような異なる基材を接合するための手段であり、例えば、糊、ホットメルトや紫外線硬化型の接着剤を用いることができる。接着材３０及び接着材３１として両面粘着テープを用いてもよい。
【００５２】
図５は包装材１０を組み立て後の組立体１０’の斜視図を示している。組立体１０’を組み立てる際に、まず、包装材１０の折り線１５ｃに沿って二つ折りにされた底面板１５を広げて傾斜部１６を形成する。このとき、支持片１７を背面板１４の側に指で押し込む方向で付勢して、切込み１８のつなぎ部１８ｂを破断させて、支持片１７を傾斜部１６から切り離して開口部１３ｂが形成される。支持片１７は熱収縮フィルム１２とともに背面板１４側に押し込まれ、熱収縮フィルム１２の下部が傾斜部１６と背面板１４との間に配される。
【００５３】
次に、底面板１５の両側端に配された折曲片２５を上方に折曲して起立させ、底面板１５を略平面に保持する。
【００５４】
次に、熱収縮フィルム１２に被包装材２０を上方から挿入して被包装材２０の底面を底面板１５に当接させる。このとき、熱収縮フィルム１２の下端は背面板１４の下端と同じ高さに配されているため、被包装材２０の下端を熱収縮フィルム１２の下端に容易に一致させることができる（図２参照）。従って、被包装材２０の位置決めを容易に行うことができる。
【００５５】
その後、組立体１０’を加熱することにより、熱収縮フィルム１２が収縮して被包装材２０を被覆される。これにより、前述の図１に示す包装体１が完成する。
【００５６】
なお、被包装材２０の底面を底面板１５に当接させたとき、熱収縮フィルム１２の上端は被包装材２０の上端よりも上方に配される。これにより、熱収縮フィルム１２は被包装材２０の天面の外周部を覆って収縮する。従って、被包装材２０を熱収縮フィルム１２により安定して保持することができる。
【００５７】
包装体１を開封する際には、熱収縮フィルム１２がミシン線１２ａに沿って破断される。これにより、被包装材２０を開口部１３ｂから引き抜いて取り出すことができる。
【００５８】
図６は包装材１０の展開図を示している。台材１１は所定の坪量を有するマニラボール、ボール紙、カード紙、クラフトボール等の板紙のシートを打ち抜いて形成される。なお、樹脂板により台材１１を形成してもよい。
【００５９】
台材１１は前面板１３の下方に折り線１５ａを介して底面板１５が連設され、底面板１５の下方に折り線１５ｂを介して背面板１４が連設される。折り線１５ａは前面板１３の下辺となり、折り線１５ｂは背面板１４の下辺となる。
【００６０】
底面板１５上には折り線１５ａ及び折り線１５ｂに平行な折り線１５ｃが設けられる。底面板１５を折り線１５ｃに沿って二つ折りして前面板１３と背面板１４とが接着材３１（図４参照）で接着され、前述の図３に示すように包装材１０が板状或いは偏平状に形成される。なお、折り線１５ｂ及び折り線１５ｃは所定間隔で切込みを有したミシン目状に形成される。これにより、台材１１を折り線１５ｂ、１５ｃに沿って容易に折曲することができる。
【００６１】
底面板１５の両側端部には折り線１５ｂに直交する折り線（第２折り線）１５ｄを介して折曲片２５が連設される。折り線１５ｄの両端はそれぞれ折り線１５ａ及び折り線１５ｂ上に配される。また、折り線１５ｄの両端から斜め外方に延びる複数（６本）の折り線１５ｅが設けられる。
【００６２】
折曲片２５を折り線１５ｄに沿って上方に折曲することにより、組み立て前に二つ折りして折り癖の付いた底面板１５を平面に保持することができる。このとき、折り線１５ｅにより折曲片２５の前後端を背面板１４及び傾斜部１６に沿って折曲することができる。
【００６３】
前面板１３の上部には挿通孔１３ｃが設けられ、挿通孔１３ｃの下方にミシン目状の半環状の切込み１８が設けられる。折り線１３ａは切込み１８の両側端の上下に延びた部分から水平方向に延びる。
【００６４】
挿通孔１３ｃの下端と折り線１５ｃとの距離Ｇは、折り線１５ｃと背面板１４の上端（図中、下端）との距離Ｈよりも長く形成される。これにより、台材１１を折り線１５ｃで二つ折りした際に背面板１４が挿通孔１３ｃよりも下方に配される。
【００６５】
また、折り線１３ａと折り線１５ａとの距離Ｄ、折り線１５ａと折り線１５ｃとの距離Ｅ、折り線１５ｃと折り線１５ｂとの距離Ｆは式（１）、式（２）の関係を有する。
【００６６】
Ｆ＞Ｅ  ・・・（１）
Ｄ＝（Ｅ２＋Ｆ２）／（Ｆ−Ｅ）  ・・・（２）
【００６７】
これにより、包装材１０を組み立てた組立体１０’（図５参照）において、底面板１５と背面板１４とを垂直に配置することができる。
【００６８】
また、台材１１の外面には印刷層が設けられており、前面板１３及び背面板１４には図柄や被包装材２０の説明等が印字される。包装材１０を組み立てた際に背面板１４は略平面に形成されているため、容易に文字を視認することができる。
【００６９】
また、台材１１の一面に印刷層を設ければ、台材１１を折曲して包装体１の前面及び背面に印刷層を配することができる。このため、台材１１の両面に印刷層を設ける必要が無く、包装材１０及び包装体１の製造工数を削減することができる。
【００７０】
本実施形態の包装材１０によると、背面板１４の下端の折り線１５ｂが前面板１３の下端の折り線１５ａよりも上方に配されている。このため、二つ折りにされた底面板１５を広げ、前面板１３を折り線１５ａに沿って折曲して前面板１３を底面板１５の前端から後方に傾斜させて背面板１４を底面板１５に対して直立させることができる。また、切込み１８により支持片１７が傾斜部１６から離れるため、支持片１７上の熱収縮フィルム１２により被覆される被包装材２０の直下に底面板１５を配置される。これにより、底面板１５を接地面に当接させて包装体１を安定して自立させることができ、包装体１の利便性を向上することができる。
【００７１】
また、本実施形態の包装体１によると、支持片１７と傾斜部１６との間に配される被包装材２０の直下に底面板１５が配置され、底面板１５を接地面に当接させて包装体１を安定して自立させることができ、包装体１の利便性を向上できる。
【００７２】
また、熱収縮フィルム１２の下端が支持片１７の下端よりも下方に配置された状態となる。これにより、開口部１３ｂに挿入される被包装材２０の下部まで熱収縮フィルム１２により被覆することができる。
【００７３】
また、熱収縮フィルム１２の下端が背面板１４の下端と同じ高さに配置された状態となる。これにより、包装体１の形成時に熱収縮フィルム１２に挿入される被包装材２０を底面板１５に当接させると、被包装材２０が下端まで熱収縮フィルム１２により被覆される。従って、被包装材２０の位置決めを容易に行い、包装体１の工数を削減することができる。
【００７４】
また、熱収縮フィルム１２が支持片１７上に接合状態とされることにより、被包装材２０の下部を前面板１３と背面板１４との間で安定して保持することができる。
【００７５】
また、切込み１８が切れ目部１８ａとつなぎ部１８ｂとを備えたミシン目状であるので、支持片１７上に熱収縮フィルム１２を接着する際に熱収縮フィルム１２の位置ずれを防止することができる。
【００７６】
また、背面板１４の下辺（折り線１５ｂ）に直交する折り線（第２折り線）１５ｄを底面板１５の両側端部に備えるので、底面板１５の両側端部を上方に折曲して底面板１５を略平面に保持することができる。従って、包装体１をより安定して自立させることができる。
【００７７】
また、切込み１８の上端が傾斜部１６の上端の折り線１３ａよりも上方に配置された状態となるので、支持片１７を背面板１４上に沿って容易に配置することができる。
【００７８】
＜第２実施形態＞
図７は第２実施形態の包装材１０の側面図を示している。説明の便宜上、前述の図１〜図６に示した第１実施形態と同様の部分には同一の符号を付している。本実施形態は第１実施形態に対し、支持片１７が背面板１４に接着材３２により接着されている。その他の部分は第１実施形態と同様である。
【００７９】
支持片１７が背面板１４に接着材３２で接着されるため、底面板１５を広げて前面板１３を折り線１３ａに沿って二つ折りにする動作と支持片１７を傾斜部１６から切り離して背面板１４に押し込む動作とを一体的に連続して行うことができる。また、支持片１７と背面板１４とを接合状態とすることにより、被包装材２０が背面板１４に安定して保持される。
【００８０】
＜第３実施形態＞
図８は第２実施形態の包装材１０の側面図を示している。説明の便宜上、前述の図１〜図６に示した第１実施形態と同様の部分には同一の符号を付している。本実施形態は第１実施形態に対し、熱収縮フィルム１２の下端が背面板１４の下端（折り線１５ｂ）よりも下方に配置された状態となる。その他の部分は第１実施形態と同様である。
【００８１】
包装体１の形成時に、熱収縮フィルム１２に上方から挿入される被包装材２０の下端を背面板１４の下端（折り線１５ｂ）に一致させて包装体１が加熱される。これにより、熱収縮フィルム１２が被包装材２０の底面の外周部を被覆することができる。従って、被包装材２０を熱収縮フィルム１２により安定して保持することができる。
【００８２】
なお、折曲片２５を包装体１の加熱後に折曲することにより、加熱時の熱収縮フィルム１２の下端と底面板１５との干渉を低減することができる。
【００８３】
なお、本発明は、上述した実施の形態に限定されるわけではなく、その他種々の変更が可能である。
【００８４】
以上、本発明の包装材によると、背面板の下端が前面板の下端よりも上方に配されているため、二つ折りにされた底面板を広げ、前面板を第１折り線に沿って折曲して前面板を底面板の前端から後方に傾斜させることにより、背面板を底面板に対して直立させることができる。また、切込みにより支持片が前面板の傾斜部分から離れるため、支持片上の熱収縮フィルムにより被覆される被包装材の直下に底面板を配置できる。これにより、底面板を接地面に当接させて包装体を安定して自立させることができ、包装体の利便性を向上することができる。
【００８５】
以上、本発明の包装材によると、被包装物の上部が前面板の開口部から前方に突出し、前面板の下端が前方に凸に湾曲して開口部よりも下方の被包装物が前面板と背面板との間に配される。これにより、前面板の下端を接地面に当接させて包装体を安定して自立させることができるとともに、被包装物の視認性がよく、包装体の利便性を向上できる。
【００８６】
以上、本発明の包装体によると、支持片と傾斜部との間に配される被包装材の直下に底面板が配置され、底面板を接地面に当接させて包装体を安定して自立させることができ、包装体の利便性を向上できる。
【産業上の利用可能性】
【００８７】
本発明は、商品を保持する包装体に利用可能である。
【符号の説明】
【００８８】
１                包装体
１０              包装材
１１              台材
１２              熱収縮フィルム
１２ａ            ミシン線
１３              前面板
１３ａ            折り線（第１折り線）
１３ｂ            開口部
１３ｃ            挿通孔
１４              背面板
１５              底面板
１５ａ、１５ｂ、１５ｃ、１５ｅ    折り線
１５ｄ            折り線（第２折り線）
１６              傾斜部
１７              支持片
１８              切込み
１８ａ            切れ目部
１８ｂ            つなぎ部
２０              被包装材
３０、３１、３２  接着材
【図１】
2018158739.tif 000003
【図２】
2018158739.tif 000004
【図３】
2018158739.tif 000005
【図４】
2018158739.tif 000006
【図５】
2018158739.tif 000007
【図６】
2018158739.tif 000008
【図７】
2018158739.tif 000009
【図８】
2018158739.tif 000010